(57)【要約】【課題】  顧客の識別情報のみを洗濯ネットに表示して、水洗い可能な洗濯物を対象にして簡単にクリーニング管理できるようにする。【解決手段】  顧客識別情報の表示部１８を洗濯ネット１５に設け、顧客識別情報としてのバーコードを印字した識別ラベル２０を洗濯ネット１５の表示部１８に熱溶着し、水洗い可能な洗濯物Ａを洗濯ネット１５に収容して洗濯機で洗濯した後、洗濯された洗濯ネット１５を乾燥機で乾燥し、洗濯ネット１５から取り出した洗濯物Ａをたたんで、たたみ終わった洗濯物Ａの乾燥重量を電子重量計で計測した後、洗濯ネット１５に仕上がった洗濯物Ａを収容して出荷される。計測した乾燥重量を請求金額に換算して、請求書を顧客に発行する。【選択図】    図１
2005177055.tif 000002
【特許請求の範囲】
【請求項１】
洗濯物を収容する洗濯ネットにおいて、顧客識別情報の表示部が設けられると共に、顧客識別情報としてのバーコードを印字した識別ラベルが表示部に熱溶着されてなることを特徴とする洗濯ネット。
【請求項２】
顧客情報を登録する登録部と、顧客識別情報を発行する顧客情報発行部と、顧客識別情報の表示された洗濯ネットを作製する洗濯ネット作製手段と、洗濯物が収容された状態で洗濯ネットを洗濯する洗濯手段と、洗濯された洗濯ネットを乾燥する乾燥手段と、洗濯ネットから取り出した洗濯物の乾燥重量を計測する乾燥重量計測手段と、計測した乾燥重量を請求金額に換算して請求書を発行する請求書発行手段とを備えたことを特徴とする洗濯ネットのクリーニング管理システム。
【請求項３】
顧客識別情報の表示部が設けられると共に、顧客識別情報としてのバーコードを印字した識別ラベルが表示部に熱溶着された洗濯ネットに、水洗い可能な洗濯物を収容し、洗濯物が収容された状態の洗濯ネットを洗濯して乾燥するようにしたことを特徴とする洗濯ネットのクリーニング方法。
【発明の詳細な説明】
【技術分野】
【０００１】
本発明は、クリーニング工場における作業工程を簡素化できる洗濯ネット、及び、洗濯ネットのクリーニング管理システム、並びに、洗濯ネットのクリーニング方法に関する。
【背景技術】
【０００２】
従来のクリーニング管理システムは、クリーニング製品に、顧客の識別情報、クリーニング製品の種類及び素材を識別する商品識別情報などを、例えばバーコードによって表示し、識別情報を赤外線照射によるリーダで読み取り、商品識別情報に合った洗濯の仕様を決定するものが公知になっている（例えば、特許文献１参照）。
【０００３】
また、洗濯する際に用いる洗濯ネットとして、識別情報を有する表示部が設けられた洗濯ネットも公知になっている（例えば、特許文献２参照）。
【０００４】
【特許文献１】特許第２８５７７３９号（第１―１３頁、図１〜図６）
【特許文献２】特開２００１−１０４６８５号公報（第１―８頁、図１〜図１２）
【発明の開示】
【発明が解決しようとする課題】
【０００５】
しかしながら、従来のクリーニング管理方法は、個々のクリーニング製品を仕分けする際に識別情報を付与する必要があるため、その作業が煩雑であるという問題もある。
【０００６】
一方、従来の洗濯ネットの場合、一般家庭を対象にした洗濯ネットであるため、使用者が収納容積、収納重さ、収納対象物を視認する目的で表示部が設けられている。このため、例えば、病院や学生寮など複数の顧客を対象とした場合には、作業者が個々の顧客の収納容積、収納重さ、収納対象物を洗濯作業の前に知っておく必要があるという問題が生じる。
【０００７】
そこで、本発明は上記問題点に鑑み、顧客の識別情報のみを洗濯ネットに表示して、水洗い工程により簡単にクリーニング管理できる洗濯ネット、及び、洗濯ネットのクリーニング方法、並びに、洗濯ネットのクリーニング管理システムを提供することを目的とする。
【課題を解決するための手段】
【０００８】
上記課題を解決するために、本発明の洗濯ネットは、請求項１に示す如く、洗濯物を収容する洗濯ネットにおいて、顧客識別情報の表示部が設けられると共に、顧客識別情報としてのバーコードを印字した識別ラベルが表示部に熱溶着されてなるものである。
【０００９】
したがって、洗濯物の混入、紛失がなく、洗濯物の管理がしやすく、仕分け作業もしやすい。
【００１０】
また、洗濯ネットのクリーニング管理システムは、請求項２に示す如く、顧客情報を登録する登録部と、顧客識別情報を発行する顧客情報発行部と、顧客識別情報の表示された洗濯ネットを作製する洗濯ネット作製手段と、洗濯物が収容された状態で洗濯ネットを洗濯する洗濯手段と、洗濯された洗濯ネットを乾燥する乾燥手段と、洗濯ネットから取り出した洗濯物の乾燥重量を計測する乾燥重量計測手段と、計測した乾燥重量を請求金額に換算して請求書を発行する請求書発行手段とを備えたものである。
【００１１】
この場合、洗濯ネットから取り出した洗濯物の乾燥重量を計測し、計測した乾燥重量を請求金額に換算するため、個々の洗濯物で請求されるよりも安価で、依頼した洗濯物の代金の値段構成がわかりやすい。
【００１２】
さらに、本発明の洗濯ネットのクリーニング方法は、請求項３に示す如く、顧客識別情報の表示部が設けられると共に、顧客識別情報としてのバーコードを印字した識別ラベルが表示部に熱溶着された洗濯ネットに、水洗い可能な洗濯物を収容し、洗濯物が収容された状態の洗濯ネットを洗濯して乾燥するようにしたものである。
【００１３】
よって、水洗い可能な洗濯物、例えば、綿、毛、ポリエステルなどの衣服をまとめて洗濯でき、洗濯物を個別に洗濯するよりもクリーニング全体の作業工程（洗濯、乾燥、仕分け、たたみ、収納）が短時間になる。
【発明の効果】
【００１４】
以上説明したように、本発明の洗濯ネットによれば、顧客ごとの洗濯物の識別が可能であるため、他の顧客の洗濯物の混入、紛失を有効に防止できる。
【００１５】
本発明の洗濯ネットのクリーニング管理方法によれば、仕上がった洗濯物の乾燥重量を換算するので、個々の洗濯物の値段を記憶する必要がなく、請求する側、及び、支払う側の両方が管理しやすい。
【００１６】
また、本発明の洗濯ネットのクリーニング方法は、入荷、洗濯、出荷に至るまで洗濯ネットを単位としているので、仕分け作業がしやすくなる。仕上がった洗濯物を間違うことなく顧客に確実に返却できる効果がある。
【発明を実施するための最良の形態】
【００１７】
本発明を実施するための最良の形態につき、図１〜図２８を参照して説明する。
【００１８】
まず、本発明のクリーニング管理システムは、図１に示すように、インターネット１上に設けられたデータ管理サーバー２と、顧客や施設、バーコードの発行、経費などの管理を行う事務管理部５と、クリーニング工場の作業管理部１０とから構成されている。そして、データ管理サーバー２と、事務管理部５に設置されたコンピュータと工場の作業管理部１０に設置されたコンピュータとがインターネット１によって相互に接続されている。
【００１９】
データ管理サーバー２は、顧客情報（病院施設の情報や患者の個人情報）の登録管理する登録管理部２ａと、新規作製する洗濯ネット、洗濯ネットの発送、洗濯物が収容された洗濯ネットの回収、使用済みの洗濯ネットの回収の管理を行う洗濯ネット管理部２ｂと、顧客識別情報としてのバーコードを発行するバーコード管理部２ｃと、仕上がった洗濯物の乾燥重量を管理する乾燥重量管理部２ｄと、乾燥重量を換算して得られた請求金額を管理する請求金額管理部２ｅと、顧客から指定の金融機関に振り込まれた金額を管理する入金管理部２ｆと、クリーニング工場における洗濯ネットの入荷と出荷とを照合する入荷・出荷照合部２ｇとから構成されている。
【００２０】
事務管理部５のコンピュータは、図２２に示すように、顧客（病院施設の情報や患者の個人情報）の情報入力部６と、乾燥重量換算部７と、入金情報入力部８とを備えている。そして、事務管理部５においては、情報入力部６によって、顧客、例えば、企業、病院、介護施設、学生寮、集合住宅、家族、個人の登録手続き、顧客リストの作成が行われる。さらに、乾燥重量換算部７によって請求金額が算出される。加えて、入金情報入力部８によって、請求書の発行手続き、受領書の発行手続きが行われる。
【００２１】
作業管理部１０のコンピュータは、図２３に示すように、情報入力部１１、乾燥重量を計測する乾燥重量計測部１２、バーコード読取入力部１３を備えている。そして、作業管理部１０においては、情報入力部１１によって、バーコードの発行手続き、洗濯ネットの発送手続き、洗濯物が収容された洗濯ネットの回収手続き、使用済みの洗濯ネットの回収手続き、洗濯物の乾燥重量の入力、伝票の作成手続きが行われる。さらに、乾燥重量計測部１２によって、仕上がった洗濯物の乾燥重量が計測される。加えて、バーコード読取入力部１３によって、洗濯ネットの入荷と出荷とを照合する
【００２２】
さらに、事務管理部５及び作業管理部１０のコンピュータには、入力された各データの読出し部Ｒ、読み出された各データの表示部Ｂを備えている。
【００２３】
データ管理サーバー２の画面構成としては、図２に示すメインメニューの画面、図３〜図５に示す登録画面、図６に示すバーコード登録画面、図７に示す新規洗濯ネット作製画面、図８に示す洗濯ネット管理画面、図９に示す使用済み洗濯ネットの管理画面、図１０に示す洗濯ネットの入荷画面、図１１に示す洗濯ネットの出荷画面、図１２に示す洗濯ネットの入・出荷照合画面、図１３に示す伝票処理の画面、図１４に示す伝票発行の画面、図１５に示す請求書作成画面、図１６に示す請求書発行画面、図１７に示す受領書入力画面、図１８に示す受領書発行画面を有している。
【００２４】
メインメニューとしては、バーコード発行、登録手続き、識別ラベル発行、請求書発行、入荷チェック、受領書発行、出荷チェック、月次締め、利用者入金入力、マスタ管理の項目が配設されている。各メニューをクリックすることで、画面が表示され、表示された各画面はリンクするように構成されている。図３〜図６に示す各登録画面には、患者及び病院関係者の個人情報（氏名、性別、年齢、生年月日、住所、電話番号、申し込み日）、入院している病院施設情報（施設の名称、住所、電話番号、ＦＡＸ番号）、バーコード、洗濯ネットの利用開始日、利用終了日、終了事由、が掲載される。図７に示す新規洗濯ネット作製画面では、新規に作製された洗濯ネットの作製日、作製時、数、搬送の有無が掲載される。図８に示す洗濯ネット管理画面では、バーコード、顧客の氏名、利用開始日、利用終了日、施設名、開始依頼日、終了依頼日、終了事由、作製日、回収日が掲載される。図９に示す使用済み洗濯ネットの管理画面では、終了依頼日、終了事由が主に掲載される。図１０に示す洗濯ネットの入荷画面では、洗濯ネットの入荷日時、入荷数、入荷の有無が主に掲載される。図１１に示す洗濯ネットの出荷画面では、洗濯ネットの出荷日時、出荷数、出荷の有無が主に掲載される。図１２に示す洗濯ネットの入・出荷照合画面では、洗濯ネットの入荷と出荷の項目が並設されて掲載される。図１３に示す伝票処理の画面では、伝票処理の日時、乾燥重量、処理の有無が主に掲載される。図１４に示す伝票発行画面では、伝票発行の日時、発行の有無が主に掲載される。図１５に示す請求書入力の画面では、請求書入力の日時、金融機関、口座番号が主に掲載される。図１６に示す請求書発行の画面では、請求書発行日時、請求書発行の有無が主に掲載される。図１７に示す受領書入力画面では、受領書入力の日時、金融機関、口座番号が主に掲載される。図１８に示す受領書発行画面では、受領書発行日時、受領書発行の有無が主に掲載される。
【００２５】
つぎに本発明のクリーニング管理システムに使用される洗濯ネット１５、識別ラベル２０、洗濯用クリップ２５について説明する。洗濯ネット１５は、図２４〜図２６に示すように、一側に開口部１６を有する平面視略矩形状の袋体からなり、該開口部１６に設けられたファスナ１７と、開口部１６を除く洗濯ネット１５の周縁部に設けられた識別表示部１８とから構成されている。
【００２６】
識別ラベル２０は、識別ラベル２０の表面に印字された顧客情報と、識別ラベル２０の裏面に形成された接着層と、該接着層に貼着された剥離紙とを備えている（図示せず）。顧客情報としては、図２７に示すように、病院施設の名称、患者名、数量、各患者に発行されたバーコードが印字される。
【００２７】
洗濯用クリップ２５は、図２８に示すように、市販されているもので、合成樹脂によって成形された平面視矩形状の二つの挟持体２６，２６と、該両挟持体の内面の両側縁部にそれぞれ立設された複数のピン２７，…と、一方の挟持体２６の先端部に一体成形された係止部２８と、別方の挟持体２６の先端部に一体成形された係合部２９とを具備している。そして、二つの挟持体２６，２６の基端部は繋がっており、全体として略Ｕ字形状を呈し、両挟持体２６，２６が接離可能に構成されている。さらに、一方の挟持体２６のピン２７，…が、別方の挟持体２６のピン２７，…の間に位置するようになっている。加えて、一方の挟持体２６の係止部２８が別方の挟持体２６の係合部２９に係合することで、両挟持体２６，２６によるクリップ状態が維持されることになる。
【００２８】
上述した洗濯ネット１５、識別ラベル２０、洗濯用クリップ２５の他、本発明のクリーニング管理システムに使用されるものとして、洗濯物Ａが収容された洗濯ネット１５を複数回収できる布製の回収袋（図示せず）と、洗濯物Ａが収容された洗濯ネット１５を仕分けするコンテナ（図示せず）と、折畳まれた洗濯ネット１５を収容して顧客に届けるためのナイロン製の配送袋３０（図２４参照）と、仕上がった洗濯物を収容する収容袋（図示せず）がある。なお、コンテナは洗濯ネット１５の入荷順に従って配列されている。また、クリーニング工場で使用する洗濯機及び乾燥機は、既存のものを使用するため、説明は省略する。
【００２９】
つぎに本発明の洗濯ネットのクリーニング管理方法、及び、洗濯ネットのクリーニング方法につき、図１９〜図２０を参照して説明する。まず、顧客、例えば、病院施設、病院施設の関係者（医師や看護師）、病院施設に入院している患者に登録手続の書面が発送される。そして、顧客が記載した書面に基づき、事務管理部５のコンピュータにおいて、病院施設、病院施設の関係者（医師や看護師）、病院施設に入院している患者の登録手続きが行われる（Ｓ１）。病院施設においては、病院施設の名称、住所、電話番号、ＦＡＸ番号が入力される。一方、病院施設の関係者（医師や看護師）、及び、各患者においては、入院している病院施設名、氏名、年齢、生年月日、住所が入力され、病院施設の関係者（医師や看護師）、及び、各患者の登録が行われる。入力された各データは、データ管理サーバー２にて格納される。
【００３０】
なお、書面には、病院施設の関係者（医師や看護師）、及び、各患者には、洗濯ネット１５のまま洗濯するため、適用可能な洗濯物Ａとしては、水洗い可能な洗濯物、例えば、ポリエステル、綿、毛を素材とする洗濯物を対象としていること、洗濯ネット１５の半分の量位まで洗濯物Ａを収容することの内容を記載し注意書きされている。なお、収容する洗濯物Ａの量を制限する理由としては、洗浄剤の効果が充分に得られないためである。
【００３１】
顧客の登録が行われると、病院施設の関係者（医師や看護師）、及び、各患者に合わせてバーコードの発行が行われる（Ｓ２）。発行されるバーコードは、病院施設の関係者（医師や看護師）、及び、各患者に関係なく、登録順に発行される。そして、発行されたバーコードは、病院施設の関係者（医師や看護師）、及び、各患者の登録画面において登録される。このバーコードの登録によって、顧客リスト、洗濯ネットリストが作成される（Ｓ３）。
【００３２】
一方、顧客の登録が行われると、クリーニング工場では洗濯ネット作製工程に移行する（Ｓ４）。即ち、図２７に示すように、送信されてきたバーコードを識別ラベル２０に印字して（Ｓ５）、バーコードが印字された識別ラベル２０を洗濯ネット１５の表示部１８に熱溶着する（Ｓ６）。続いて、識別ラベル２０のバーコードを読み取り、新規作製された洗濯ネット１５を登録した後、該洗濯ネット１５を折畳んで配送袋３０に詰める。識別ラベル２０としては、プリテックス（商品名  サーモパッチ社製）を使用するのが好ましい。
【００３３】
その後、図２４に示すように、袋詰めされた洗濯ネット１５が、運搬作業者によって、クリーニング工場から出荷される（Ｓ７）と共に、登録された病院施設の関係者（医師や看護師）、及び、各患者にそれぞれ配布される（Ｓ８）。なお、配送袋３０には、施設名称、患者名、バーコードが記載された納品書３１が挿入されている。
【００３４】
そして、病院施設の関係者（医師や看護師）の洗濯物Ａ、及び、各患者の洗濯物Ａが収容された洗濯ネット１５は所定の日時に病院施設の所定の場所に集められる。
【００３５】
つぎに、運搬作業者によって洗濯ネット１５の回収が行われる（Ｓ９）。即ち、集められた複数の洗濯ネット１５を施設名の表示された回収袋に収容し、該回収袋を運搬車の荷台に積み込んでクリーニング工場まで搬送する。
【００３６】
以下、クリーニング工場における作業工程について図２０を参照して説明する。搬送された複数の回収袋は、回収した順に複数のコンテナに振り分けされる（Ｓ１０）。その後、コンテナから回収袋を取り出す（Ｓ１１）と共に、回収袋から洗濯ネット１５を取り出して洗濯ネット１５の入荷をチェックし（Ｓ１２）、洗濯ネット１５の検査工程に移行する（Ｓ１３）。この検査工程においては、検品作業者が、洗濯ネット１５に収容されている洗濯物Ａを目視で確認し、収容されている洗濯物Ａに紛れ込んでいる異物の有無を手探りで検査する。
【００３７】
検査工程終了後、重量計測作業工程に移行し（Ｓ１４）、総重量が略２８ｋｇ前後になるように複数の洗濯ネット１５をひとまとめにして重量計に載置し計測する。続いて、洗濯ネット１５の洗濯予備工程に移行する（Ｓ１５）。この工程では、総重量が略２８ｋｇ前後になるようにひとまとめした洗濯ネット１５をグループに仕分けする。なお、重量計としては、人の体重計を使用している。また、複数の洗濯ネット１５の総重量が略２８ｋｇ前後としている理由としては、洗濯機の容量に合わせて算出されたものである。
【００３８】
さらに、グループに仕分けされた個々の洗濯ネット１５のファスナ１７の部分に洗濯用クリップ２５を装着する。この際、洗濯クリップ２５が装着された洗濯ネット１５は、図２５に示すように、開口部１６が絞られてその下側が大きく膨らんだ状態になる。洗濯用クリップ２５を装着する理由としては、洗濯の際に洗濯ネット１５のファスナ１７が開いて、収容されている洗濯物Ａが洗濯ネット１５の開口部１６から外部（洗濯機内部）に漏れ出るのを防止するためである。
【００３９】
つぎに洗濯工程に移行する（Ｓ１６）。この洗濯工程では、グループに仕分けされた複数の洗濯ネット１５がひとまとめにして洗濯機に投入され、予備洗い工程、本洗い工程、すすぎ工程、のりづけ工程、脱水工程の順に行われる。この際、洗濯機内部では、水及び蒸気が自動で供給されると共に、洗浄剤が手動投入される。洗浄剤としては、主洗剤（粉末）、助剤（粉末）、柔軟剤（液体）の３種類が使用される。主剤としては、例えば、アクトＵＮ−Ｐ（商品名  アクト社製）を３５０ｃｃ、助剤としては、例えば、メタ珪酸ソーダ（石田化学社製）を３５０ｃｃ、アルカリハーベスト（商品名  花王社製）を１００ｃｃ、過炭酸ソーダＰＣ−１（商品名  旭電化工業社製）を１５０ｃｃ、柔軟剤としては、例えば、カチオンＳＦ−７５ＰＡ（商品名  三洋化成工業社製）を３５０ｃｃ投入する。主洗剤及び助剤は、洗濯前に洗濯機に投入され、柔軟剤は、洗濯機の助剤投入口より洗濯前に投入され、のりづけ工程時において、洗濯機によって自動投入される。
【００４０】
予備洗い工程では、４５度の温水によって３分〜４分洗浄する。本洗い工程では、１０分、すすぎ工程では、冷水によって３分のすすぎが３回繰り返えされる。なお、各工程における洗浄時間は季節によって調整が必要になる。特に、夏季においては、汚れが落ちにくくなるため、洗濯機の本洗い工程の時間を延長する。また、洗濯機としては、３５ｋｇの容量の洗濯機を使用する。
【００４１】
洗濯工程終了後、洗濯された洗濯用クリップ２５付きの複数の洗濯ネット１５を８５度で３５分間乾燥させる乾燥工程に移行する（Ｓ１７）。乾燥機としては、５０ｋｇ及び２２ｋｇの容量の乾燥機を使用する。洗濯物Ａが略定格どおりに収容されている洗濯ネット１５は、５０ｋｇ容量の乾燥機が使用され、洗濯物Ａが容量を超えて満杯に収容されている洗濯ネット１５は、２２ｋｇ容量の乾燥機が使用される。
【００４２】
１０分間の乾燥工程終了後、洗濯ネット１５の仕分け積載工程に移行する（Ｓ１８）。洗濯用クリップ２５を洗濯ネット１５から取り外し、膨らんだ状態の洗濯ネット１５が略平坦になるように、洗濯ネット１５全体を引き伸ばす。そして、略平坦になった洗濯ネット１５を配送先（各病院施設）に合わせて仕分けし作業台に積載する。
【００４３】
つぎに洗濯物たたみ作業工程移行し（Ｓ１９）、最上段の洗濯ネット１５のファスナ１７を開き、その開口部１６から洗濯物Ａを取り出して、洗濯物Ａの乾燥状態、汚れ、ポケットに入っている異物を検査する（Ｓ２０）と同時に洗濯物Ａをたたんでいく。この作業を最下段の洗濯ネット１５に至るまで順次繰り返す。
【００４４】
そして、たたみ終わった洗濯物Ａが依頼した患者ごとに仕分けされる（Ｓ２１）。一方、乾燥重量計測工程（Ｓ２２）において、仕分けされた洗濯物Ａの乾燥重量が電子重量計によって計測される。この際、電子重量計によって計測された乾燥重量の小数点以下の端数は、計算しやすいように切り捨て、又は、切り上げされる。
【００４５】
乾燥重量計測後、出荷作業工程（Ｓ２３）に移行し、仕分けされた洗濯物Ａをひとまとめにして収容袋に梱包し（図示せず）、洗濯ネット１５に収容すると共に、洗濯ネット１５のファスナ１７を閉じて開口部１６を閉塞する。この際、この洗濯ネット１５は、図２６に示すように、たたまれた洗濯物Ａが収容されて略直方体形状を呈しており、病院名、個人名、配送日時、乾燥重量を記載した伝票が挿入される。
【００４６】
最後に、出荷時に洗濯ネット１５のバーコードを読み取り、入荷時のバーコードとの照合を行い（Ｓ２４）、入荷された洗濯ネット１５のクリーニング終了を事務管理部５及び作業管理部１０の双方が確認する。その後、配送作業者が、複数の洗濯ネット１５の収容された回収袋（図示せず）を運搬車の荷台に積み込んで出荷する（Ｓ２５）。この際、回収袋には、搬送する施設名が表示されており、複数の洗濯ネット１５は仕分け可能な状態になっている。そして、病院において、洗濯物Ａが収容された洗濯ネット１５を洗濯依頼した患者に手渡す。仕上がった洗濯物Ａを受け取った患者は、挿入された伝票に記載されている乾燥重量を確認する。
【００４７】
また、登録された患者が病院から退院した場合には、患者の登録抹消、洗濯ネット１５のバーコードの抹消、使用済みの洗濯ネット１５の回収が行われる。回収された洗濯ネット１５の表示部１８から退院する患者の識別ラベル２０が取り外されて、新規登録された患者の識別ラベル２０が回収された洗濯ネット１５の表示部１８に熱溶着される。
【００４８】
ここで、入金管理工程について図２１を参照して説明する。事務管理部５では、入荷時のバーコードチェックによって、利用開始日時の入力が行われると共に、出荷時のバーコードチェックによって、配送日時、計測された一ヶ月間の乾燥重量の累積が行われる（Ｓ２６）。続いて、累積された乾燥重量に基づいて請求金額の換算が行われる（Ｓ２７）。その後、一ヶ月間の積算された請求書の発行が行われる（Ｓ２８）。そして、患者から指定の金融機関に入金のあった場合には、入金確認（Ｓ２９）した後、受領書が発行される（Ｓ３０）。
【００４９】
なお、前記実施形態において説明した画面構成は、図示に限定されるものではなく、適宜変更可能である。要するに、顧客の登録管理、バーコードの発行、洗濯ネット１５の管理、乾燥重量の換算による入金管理など本発明の趣旨とするクーリング管理が行える画面構成であればよい。
【００５０】
また、前記実施形態の場合、病院を例にとって説明したが、介護施設、学生寮、集合住宅、家族、個人であってもよい。
【００５１】
また、前記実施形態の場合に使用した洗浄剤は、限定されるものではなく、適宜変更可能である。
【００５２】
さらに、前記実施形態の場合、請求書を病院施設の関係者、患者に直接手渡すようにしたが、病院の経理課に送付してもよい。この場合、病院施設の関係者においては、給料の支給時にクリーニング代金を差し引いたり、患者においては、退院時に入院費用にクリーニング代金を加算したりする。
【００５３】
加えて、前記実施形態の場合、病院施設の関係者、及び、患者の洗濯物を例にとって説明したが、病院施設で使用しているベッドのシーツ、枕カバ−、タオルであってもよい。この場合、請求書の発行は、病院施設の経理課に行うことになる。
【産業上の利用可能性】
【００５４】
本発明のクリーニング管理システムは、洗濯物の乾燥重量を請求金額としているため、クリーニング作業者の作業効率化、及び、消費者の経費節減に有効である。
【図面の簡単な説明】
【００５５】
【図１】本発明のクリーニング管理システムの全体を示した構成図である。
【図２】データ管理サーバーにおけるメインメニューを示した画面である。
【図３】個人、施設、洗濯ネットの登録管理の画面である。
【図４】個人、施設の登録管理の画面である。
【図５】施設の登録管理の画面である。
【図６】バーコードの管理画面である。
【図７】新規の洗濯ネットの管理の画面である。
【図８】洗濯ネットの管理の画面である。
【図９】使用済みの洗濯ネットの管理の画面である。
【図１０】工場に入荷された洗濯ネットの管理の画面である。
【図１１】工場から出荷された洗濯ネットの管理の画面である。
【図１２】洗濯ネットの入・出荷照合の画面である。
【図１３】伝票処理の画面である。
【図１４】伝票発行の画面である。
【図１５】請求書入力の画面である。
【図１６】請求書発行の画面である。
【図１７】受領書の入力画面である。
【図１８】受領書発行の画面である。
【図１９】洗濯ネットが工場に入荷される前のフローである。
【図２０】作業管理部における作業工程を示したフローである。
【図２１】事務管理部の入金管理工程を示したフローである。
【図２２】データ管理サーバーと事務管理部のコンピュータとの概略構成図である。
【図２３】データ管理サーバーと作業管理部のコンピュータとの概略構成図である。
【図２４】手渡しされる洗濯ネットの斜視図である。
【図２５】洗濯物が収容された洗濯ネットをクリップした状態の図である。
【図２６】仕上がった洗濯物を収容した洗濯ネットの斜視図である。
【図２７】識別ラベルを示した図である。
【図２８】クリップの斜視図である。
【符号の説明】
【００５６】
１  インターネット
２  データ管理サーバー
２ａ  登録管理部
２ｂ  洗濯ネット管理部
２ｃ  バーコード管理部
２ｄ  乾燥重量管理部
２ｅ  請求金額管理部
２ｆ  入金管理部
２ｇ  入荷・出荷照合部
５  事務管理部
６  情報入力部
７  乾燥重量換算部
８  入金情報入力部
１０  作業管理部
１１  情報入力部
１２  計測部
１３  バーコード読取入力部
１５洗濯ネット
１６  開口部
１７  ファスナ
１８  表示部
２０  識別表示ラベル
２５  クリップ
２６  挟持体
２７  ピン
２８  係止部
２９  係合部
３０  配送袋
３１  納品書
Ａ  洗濯物
Ｂ  表示部
Ｒ  読出し部
【図１】
2005177055.tif 000003
【図２】
2005177055.tif 000004
【図３】
2005177055.tif 000005
【図４】
2005177055.tif 000006
【図５】
2005177055.tif 000007
【図６】
2005177055.tif 000008
【図７】
2005177055.tif 000009
【図８】
2005177055.tif 000010
【図９】
2005177055.tif 000011
【図１０】
2005177055.tif 000012
【図１１】
2005177055.tif 000013
【図１２】
2005177055.tif 000014
【図１３】
2005177055.tif 000015
【図１４】
2005177055.tif 000016
【図１５】
2005177055.tif 000017
【図１６】
2005177055.tif 000018
【図１７】
2005177055.tif 000019
【図１８】
2005177055.tif 000020
【図１９】
2005177055.tif 000021
【図２０】
2005177055.tif 000022
【図２１】
2005177055.tif 000023
【図２２】
2005177055.tif 000024
【図２３】
2005177055.tif 000025
【図２４】
2005177055.tif 000026
【図２５】
2005177055.tif 000027
【図２６】
2005177055.tif 000028
【図２７】
2005177055.tif 000029
【図２８】
2005177055.tif 000030